(57)【特許請求の範囲】
【請求項１】
外枠と、
前記外枠に遊技者側の前面側にて開閉可能となるように取り付けられて、略中央部に遊技盤が取り付けられる開口部が開設される前枠部材と、
前記前枠部材の一側に開閉自在に軸着された前面カバー部材と、
前記前面カバー部材の遊技者側の前面に突出して設けられて、払い出される賞球を受ける上側球貯留部材と、
前記前枠部材の前面部に取り付けられて前記上側球貯留部材の下側に配置され、該上側球貯留部材から溢れた遊技球を受けて貯留する下側球貯留部材と、
前記上側球貯留部材の前面上端縁部から前記下側球貯留部材の下側まで延出される延出部材とを備え、
前記下側球貯留部材は、
内側に遊技球を所定量収容することが可能な閉鎖空間を形成する収容部材と、
前記収容部材の上端面部において前後方向に配設されて軸回りに回動可能に設けられた球抜き機構部と、
該収容部材の下側端面部に形成されて遊技球を外部に排出する遊技球排出口部を開閉する開閉部材と、
該収容部材の背面部に配設されて前記球抜き機構部の後端部と前記開閉部材とを連結する連結部材と、
を有し、
前記延出部材は、
前記収容部材の底部が視認可能な開口部と、
前記球抜き機構部に対向する位置に前面側から断面略円形の筒状体に窪むように形成されて後側周縁部が内側半径方向に所定長さ延出された凹部と、
前記凹部に前面側から挿入されて回動可能に支持された球抜きダイヤルレバーと、
前記凹部の後側から前記球抜きダイヤルレバーの後端部に固設されて、前記前面カバー部材を閉じた場合に、前記球抜き機構部の前端部に係合し、該前面カバー部材を開いた場合に、該球抜き機構部から離間する取付部材と、
を有し、
前記球抜きダイヤルレバーを所定方向に回動した場合には、前記開閉部材が前記取付部材と前記球抜き機構部と前記連結部材とを介して開かれて、前記収容部材内の遊技球が前記遊技球排出口部及び前記開口部を介して外部に排出されることを特徴とする遊技機。
【発明の詳細な説明】
【０００１】
【発明の属する技術分野】
本発明は、賞球を受ける上側球貯留部材の前面部から下側球貯留部材の前面部に渡って覆う装飾部材を備えた遊技機に関し、特に、上側球貯留部材の前面上端縁部から延出される延出部材によって上側球貯留部材の前面部から下側球貯留部材の下側まで覆うと共に、この延出部材の前面部から下側球貯留部材の球抜き手段を操作できるように構成することによって、遊技機の前面部を従来にない斬新なデザインにすることが可能となると共に、該下側球貯留部材内の遊技球を容易に排出することができる遊技機に関するものである。
【０００２】
【従来の技術】
従来より、パチンコ機等の遊技機においては、上皿と下皿の前面部を覆うカバー部材が設けられる遊技機が種々提案されている。
【０００３】
例えば、特開平９−２３４２８０号公報に記載された弾球遊技機では、弾球遊技機本体に前枠を設け、この前枠に、遊技盤と、遊技盤上に遊技球を発射する発射手段の発射ハンドルと、前枠から前方に突出する下皿とを設けた弾球遊技機において、前枠に、この前枠を前面側から覆う合成樹脂製の化粧カバーを設け、この化粧カバーに、下皿をその前後から覆う下皿カバーを一体に設け、この下皿カバーに、下皿の上端開口に対応する下皿開口部が形成されている。これにより、前面側のデザインを質感、量感に溢れ豪華且つ斬新なものにする等、そのデザインを容易に選択し決定できると共に、機種相互間でもデザインを容易に変更でき、しかも安価に製作できる上に、下皿カバーを化粧カバーと構造的に一体化することによって、化粧カバーと下皿カバー部とをデザイン的にも容易に統一できる利点がある。
【０００４】
また、当該弾球遊技機では、弾球遊技機本体に前枠を開閉自在に設け、この前枠に、遊技盤と、遊技盤上に遊技球を発射する発射手段の発射ハンドルとを設け、遊技盤の下側に、発射手段の発射機構を点検し得るように開閉板を設け、この開閉板に、発射機構に遊技球を１個づつ供給するための上皿を設け、この上皿の下側で発射ハンドルの側方に、上皿から溢流した遊技球を受ける下皿を設けた弾球遊技機において、前枠に、この前枠を前面側から覆う合成樹脂製の化粧カバーを設け、この化粧カバーに、下皿をその前後から覆う下皿カバーを一体に設け、この下皿カバーに、下皿の上端開口に対応する下皿開口部が形成されている。これにより、前面側のデザインを質感、量感に溢れ豪華且つ斬新なものにする等、そのデザインを容易に選択し決定できると共に、機種相互間でもデザインを容易に変更でき、しかも下皿に対する遊技球の出し入れを容易にできる。
【０００５】
【発明が解決しようとする課題】
しかしながら、上述した特開平９−２３４２８０号公報に記載された各弾球遊技機においては、上皿の下側に開口部を有する下皿が配置されている従来のパチンコ機などの遊技機の基本デザインと同様に、下皿をその前後から覆う下皿カバーに、下皿の上端開口に対応する下皿開口部が形成されているため、遊技機の前面部を従来にない斬新なデザインにすることが困難であり、遊技者に対して大きなインパクトを与えて遊技への興味を強く引きつけることが難しいという問題がある。
【０００６】
そこで、本発明は、上述した問題点を解決するためになされたものであり、上側球貯留部材の前面上端縁部から延出される延出部材によって上側球貯留部材の前面部から下側球貯留部材の下側まで覆うと共に、この延出部材の前面部から下側球貯留部材の球抜き手段を操作できるように構成することによって、遊技機の前面部を従来にない斬新なデザインにすることが可能となると共に、該下側球貯留部材内の遊技球を容易に排出することができる遊技機を提供することを目的とする。
【０００７】
【課題を解決するための手段】
前記目的を達成するため請求項１に係る遊技機は、外枠と、前記外枠に遊技者側の前面側にて開閉可能となるように取り付けられて、略中央部に遊技盤が取り付けられる開口部が開設される前枠部材と、前記前枠部材の一側に開閉自在に軸着された前面カバー部材と、前記前面カバー部材の遊技者側の前面に突出して設けられて、払い出される賞球を受ける上側球貯留部材と、前記前枠部材の前面部に取り付けられて前記上側球貯留部材の下側に配置され、該上側球貯留部材から溢れた遊技球を受けて貯留する下側球貯留部材と、前記上側球貯留部材の前面上端縁部から前記下側球貯留部材の下側まで延出される延出部材とを備え、前記下側球貯留部材は、内側に遊技球を所定量収容することが可能な閉鎖空間を形成する収容部材と、前記収容部材の上端面部において前後方向に配設されて軸回りに回動可能に設けられた球抜き機構部と、該収容部材の下側端面部に形成されて遊技球を外部に排出する遊技球排出口部を開閉する開閉部材と、該収容部材の背面部に配設されて前記球抜き機構部の後端部と前記開閉部材とを連結する連結部材と、を有し、前記延出部材は、前記収容部材の底部が視認可能な開口部と、前記球抜き機構部に対向する位置に前面側から断面略円形の筒状体に窪むように形成されて後側周縁部が内側半径方向に所定長さ延出された凹部と、前記凹部に前面側から挿入されて回動可能に支持された球抜きダイヤルレバーと、前記凹部の後側から前記球抜きダイヤルレバーの後端部に固設されて、前記前面カバー部材を閉じた場合に、前記球抜き機構部の前端部に係合し、該前面カバー部材を開いた場合に、該球抜き機構部から離間する取付部材と、を有し、前記球抜きダイヤルレバーを所定方向に回動した場合には、前記開閉部材が前記取付部材と前記球抜き機構部と前記連結部材とを介して開かれて、前記収容部材内の遊技球が前記遊技球排出口部及び前記開口部を介して外部に排出されることを特徴とする。
【０００８】
このような特徴を有する請求項１に係る遊技機においては、略中央部に遊技盤が取り付けられる開口部が開設される前枠部材は、外枠に遊技者側の前面側にて開閉可能となるように取り付けられている。また、前面カバー部材が前枠部材の一側に開閉自在に軸着されている。また、払い出される賞球を受ける上側球貯留部材が、前面カバー部材の遊技者側の前面に突出して設けられている。また、この上側球貯留部材の下側には、前枠部材の前面部に取り付けられて、この上側球貯留部材から溢れた遊技球を受けて貯留する下側球貯留部材が配置されている。そして、この下側球貯留部材は、上側球貯留部材の前面上端縁部から該下側球貯留部材の下側まで延出される延出部材によって覆われて、延出部材の後側に配設されている。また、前面カバー部材を閉じて球抜きダイヤルレバーを所定方向に回動することによって、この球抜きダイヤルレバーの後端部に固設された取付板と、下側球貯留部材を構成する収容部材の上端面部の前後方向に配設された球抜き機構部と、当該収容部材の背面部に配設された連結部材を介して、収容部材の背面側から開閉部材を作動させて遊技球排出口部を開いた場合には、収容部材内の遊技球が遊技球排出口部及び延出部材の開口部を介して外部に排出される。
これにより、上側球貯留部材の前面上端縁部から延出される延出部材によって上側球貯留部材の前面部から下側球貯留部材の前面部に渡って全面が覆われると共に、この延出部材の前面部から球抜きダイヤルレバーを所定方向に回動することによって、下側球貯留部材を構成する収容部材内に貯留されている遊技球の球抜き操作ができるため、遊技機の前面部を従来にない斬新なデザインにすることが可能となり、遊技者の興味を強く引きつけることができると共に、該下側球貯留部材内の遊技球を延出部材の前面側から容易に排出することができて遊技者の興趣を増大させることができる。
また、前面カバー部材を開いた場合には、延出部材に取り付けられた球抜きダイヤルレバーと取付板は、球抜き機構部から離間して延出部材と一体となって移動するため、遊技者が頻繁に操作する球抜きダイヤルレバーの点検修理や交換を容易に行うことができる。
【０００９】
【００１０】
【００１１】
【００１２】
【００１３】
【００１４】
【００１５】
【発明の実施の形態】
以下、本発明に係る遊技機をパチンコ機について具体化した第１及び第２実施形態を図面を参照して詳細に説明する。
最初に第１実施形態に係るパチンコ機について図１乃至図９に基づいて説明する。先ず、第１実施形態に係るパチンコ機の全体概略構成について図１乃至図５に基づき説明する。図１は第１実施形態に係るパチンコ機全体を示した正面図である。図２は第１実施形態に係るパチンコ機全体を示した中央側断面図である。図３は第１実施形態に係るパチンコ機の前面カバー部材を開いた状態を示す正面図である。図４は第１実施形態に係るパチンコ機の下側球貯留部材の要部を示す要部拡大中央側断面図である。図５は第１実施形態に係るパチンコ機の下側球貯留部材内に配設される各光ＬＥＤと各光センサとの間の受光状態を模式的に示す横断面図である。尚、図１及び図３では遊技領域上のゲート等の構造物を省略して示す。
【００１６】
図１乃至図４に示すように、第１実施形態に係るパチンコ機１は、所定量のパチンコ球を賞球として払い出す、いわゆる第１種パチンコ機である。パチンコ機１は、木製の外枠２に対して樹脂製の前枠３が、前枠取付用ヒンジを構成する上ヒンジ４及び下ヒンジ５を介して外枠２に対して開閉自在に取り付けられている。そして、この前枠３のほぼ中央部には、略四角形の窓部７が形成され、この窓部７には、遊技盤８が前面側から取付けられている。
【００１７】
また、この前枠３の前側を被覆する樹脂製の前面カバー部材１０は、左側端縁部を上ヒンジ４と、前枠３の前側に突出して形成される前面パネル部３Ａの左端上部に取り付けられる軸支持部材１１とによって支えられて開閉自在に取り付けられている（図３参照）。この前面カバー部材１０は、前面部が正面視略卵形に前面側へ膨出して形成されると共に、閉じられた場合には、この前面カバー部材１０の下端周縁部と正面視略逆半月形に上端縁部が凹む前面パネル部３Ａとが、連続した面を構成するように形成されている。
また、この前面カバー部材１０は、ほぼ中央部に略円形の窓部１２が開設されると共に、この窓部１２の下端縁部から斜め下前側方向に突出する壁部１５と、この壁部１５の下端縁部から前側方向に突き出して設けられて、払い出される賞球を受ける所定深さの上側球貯留部材２２と、この上側球貯留部材２２の前面上端縁部から下側球貯留部材３０の下側を覆うように正面視略半球状に延出される延出部材３２とから形成されている。
【００１８】
また、前面カバー部材１０のほぼ中央部に開設される窓部１２には、球面上に外側方向に膨出する透明な前面カバー１３が前面側から嵌着されると共に、この前面カバー１３の後側にはガラス板１４が装着されている。従って、前面カバー１３とガラス板１４とを通して遊技盤８上に構成される遊技領域が見えるようになっている。また、前面カバー部材１０の窓部１２の左右の周辺部には、左右方向に直線状に配設された発光ＬＥＤ９が、複数本ずつ上下方向にほぼ平行に配列されている。
【００１９】
また、前面カバー部材１０の窓部１２の下端縁部から斜め下前側方向に突出する壁部１５の略中央部には、横長四角形の開口部１６が開設されている。そして、前面カバー部材１０を閉じた場合には、この開口部１６を介して、斜め上向きに取り付けられて変動図柄等が表示されるＬＣＤ表示器１７の画面が、斜め上から見えるように構成されている。また、この開口部１６の左右には、正面視三角形状に多数の小孔が穿設される一対の網目部１８、１８が形成されている。この各網目部１８、１８は、前面カバー部材１０が閉じられた場合に、後述の前枠３に配設される一対のスピーカ２０、２０（図３には、１個のスピーカ２０が示されている。）と対向している。
また、右側の網目部１８の下側には、４個の第１貯留ランプ４１Ａ、第２貯留ランプ４１Ｂ、第３貯留ランプ４１Ｃ、第４貯留ランプ４１Ｄが左右水平方向に横一列に配置されている。そして、この第１貯留ランプ４１Ａの左側には「少」の文字が書かれ、また、第４貯留ランプ４１Ｄの右側には「多」の文字が書かれている。これにより、後述のように第１貯留ランプ４１Ａ乃至第４貯留ランプ４１Ｄを点灯制御することによって、下側球貯留部材３０内に貯留されるパチンコ球の貯留量が遊技者に報知される（図１１参照）。
また、透明な樹脂製の下側球貯留部材３０は、ＬＣＤ表示器１７の下側において、前枠３の前面部にビス止め等によって取り付けられている。
【００２０】
また、払い出される賞球を受ける上側球貯留部材２２の左奥側の壁面部には、パチンコ機１の背面部に設けられて賞球や貸球を払い出す公知の払い出し機構（特開平１１−３０９２６５号公報等参照）から払い出される賞球等を上側球貯留部材２２に案内する賞球払い出し口２３が設けられている。また、上側球貯留部材２２のパチンコ球が発射装置２５（図３参照）へ不図示の球抜き装置等を介して送られるように構成されている。この発射装置２５は、前面パネル部３Ａに立設される操作ハンドル２６の回動操作によって発射力が調整されるように構成されている。また、パチンコ機１の左右方向の中心線に対して操作ハンドル２６のほぼ対称な位置には、前面パネル部３Ａの前面部から遊技者側に突き出して設けられる開閉可能式の灰皿２７が取り付けられている。
【００２１】
また、上側球貯留部材２２の右側上端面の右外側には球抜きボタン２８が配設されており、遊技者が球抜きボタン２８を押下することにより、上側球貯留部材２２にあるパチンコ球が、不図示の球抜き装置を介して該上側球貯留部材２２の下側に配設される透明な樹脂製の下側球貯留部材３０に流れ込むように構成されている。
【００２２】
また、上側球貯留部材２２の前面上端縁部から正面視略半球状に延出される延出部材３２の下側球貯留部材３０の底面部に対向する部分には、開口部３２Ａが形成され、この透明な下側球貯留部材３０内のパチンコ球が見えるように構成されている。
また、この延出部材３２の略中央部には、断面略円形の凹部３４が形成されて、後述のようにこの凹部３４内に球抜きダイヤルレバー３５が回動可能に取り付けられている（図４参照）。この球抜きダイヤルレバー３５は、前面カバー部材１０を閉じた場合に、下側球貯留部材３０の球抜き機構部３３に接続され、該球抜きダイヤルレバー３５を一方向に操作することにより、下側球貯留部材３０を構成する内箱８４（図４等参照）の下端部に形成される球抜き孔３７を覆うスライド板部材３８が左右方向に移動して、この球抜き孔３７から球抜き孔８６（図４等参照）及び開口部３２Ａを介して下方にパチンコ球が落下することとなる。尚、球抜きダイヤルレバー３５は、後述のように球抜き機構部３３を構成する引張りバネ９５（図８参照）等により反対回転方向に付勢されている。
【００２３】
また、球抜きダイヤルレバー３５の上側には、各スピーカ２０、２０の音量を調整できる音量調整用操作部材４０が配設されている。この場合、音量調整用操作部材４０はタッチ型であって、遊技者等が音量調整用操作部材４０の左側のボタンを押すことによって音量が小さくなり、該音量調整用操作部材４０の右側のボタンを押すことによって音量が大きくなるため、その音量を調整でき、遊技者は各スピーカ２０、２０を介して遊技に応じた音等を所望の音量で聴くことができる。
【００２４】
また、図２に示すように、パチンコ機１の裏側最上段には、上方に開口した賞球タンク４５が前枠３の裏面に固定されている。この賞球タンク４５は、傾斜した底面に不図示の連通孔が形成され、その連通孔の下方にはパチンコ球を２列に整列流出し、不図示の賞球や貸球を払い出す払出機構にパチンコ球を送る通路を形成するタンクレール４６が取付けられている。また、遊技盤８の裏面を覆うセンターカバ４７が前枠３の裏面に取り付けられている。このセンターカバ４７の背面部には、不図示のパチンコ機１の賞球の払い出し制御等を制御する後述の制御回路部が構成された主基板が収納されるカバー４８と、不図示の賞球払い出し機構を制御する制御回路が構成された賞球制御基板が収納されるカバー４９等が配設されている。
また、センターカバ４７の下側には、賞球払い出し口２３から溢れた賞球を下側球貯留部材３０に案内する案内樋５０が、前枠３の背面部に配設されている。また、案内樋５０の背面部には、不図示の音楽制御基板が収納されるカバー５１が配設されている。また、この案内樋５０と下側球貯留部材３０とは、前枠３の下側球貯留部材３０の裏面に対向する位置に穿設される断面略四角形の貫通孔５２を介して連通している。これにより、上側球貯留部材２２から溢れたパチンコ球は、案内樋５０及び貫通孔５２を介して下側球貯留部材３０に案内されて貯留される。
【００２５】
ここで、図３及び図４に基づいて、球抜きダイヤルレバー３５と下側球貯留部材３０の球抜き機構部３３との接続部の構成について説明する。
図４に示すように、先ず、延出部材３２の略中央部に形成される凹部３４は、断面略円形の筒状体で、後側周端縁部は、内側半径方向に所定長さ延出される当接部３４Ａと、この当接部３４Ａの内側周端縁部から前側軸方向に延出される略円筒状のリブ部３４Ｂとから構成されている。また、このリブ部３４Ｂの半径方向外側面には、略円筒状のカラー部材３４Ｃが前側から周方向摺動可能に挿入されている。
【００２６】
また、球抜きダイヤルレバー３５は、略円柱状で外側端面部が略斜め下方向に傾斜するように形成される共に、該外側端面部には、略中央部に上下方向のつまみ部３５Ａ（図１参照）が形成されている。また、このダイヤルレバー３５の後側周端縁部には、軸方向に所定長さ延出されるリブ部３５Ｂが形成されている。また、ダイヤルレバー３５の後端面の略中央部には円筒状の位置決めボス３５Ｃが立設されている。また、この位置決めボス３５Ｃの上下には、後端縁部にネジ孔が形成される各取り付けボス３５Ｄ、３５Ｄが立設されている。そして、このダイヤルレバー３５は、延出部材３２の前側から凹部３４に挿入されて、リブ部３５Ｂがカラー部材３４Ｃに嵌挿されている。
【００２７】
また、ダイヤルレバー３５の後側には、略円板状の取付板３６が各皿ネジ３６Ａ、３６Ａでネジ止めされている。また、取付板３６の外径は、凹部３４の当接部３４Ａの内径よりも大きく形成されているため、ダイヤルレバー３５が前側方向に抜けなくなっている。また、取付板３６は、コイルバネ３６Ｂにより反時計方向に付勢されている、即ち、ダイヤルレバー３５は取付板３６を介して反時計方向に付勢され、つまみ部３５Ａは、通常時は、鉛直方向に位置している。また、取付板３６の後端面の上下方向中央部には、突設部３６Ｃが通常時には、左右水平になるように、後側方向に突き出て形成されている。
【００２８】
一方、球抜き機構部３３には、下側球貯留部材３０の外箱８５（図６参照）の上端面に前後方向に載架されて軸回りに回転可能に支持される軸部材３３Ａと、この軸部材３３Ａの前側端面部に皿ビス３３Ｂによって取り付けられる結合部材３３Ｃとが設けられている。
また、軸部材３３Ａの後端面部には、突出しピンが偏心して突設され、後述のように梁部材９２に接続されている（図９参照））。また、結合部材３３Ｃの略中央部には、溝部３３Ｄが通常時には略水平方向になるように設けられている。
従って、前面カバー部材１０を閉じた場合は、この溝部３３Ｄには、上記取付板３６の突設部３６Ｃが嵌挿されるように構成されている。これにより、遊技者は、ダイヤルレバー３５を時計方向に回すことによって、後述のように下側球貯留部材３０内のパチンコ球が各球抜き孔３７、８６を介して外側に排出される（図６〜図９参照）。
【００２９】
また、図４及び図５に示すように、下側球貯留部材３０の内箱８４の内側左側面部には、上下方向の直線上に４個の各発光ＬＥＤ３９、３９、３９、３９が略等間隔で配設され、内箱８４の上下方向のほぼ最深部を通る鉛直線を含む所定平面上を各発光ＬＥＤ３９、３９、３９、３９の光が通過するように設定されている。また、下側球貯留部材３０の内箱８４の内側右側面部の各発光ＬＥＤ３９、３９、３９、３９に対向する位置には、下側から第１乃至第４光センサ４２Ａ、４２Ｂ、４２Ｃ、４２Ｄが配設されている。この第１乃至第４光センサ４２Ａ、４２Ｂ、４２Ｃ、４２Ｄは、各発光ＬＥＤ３９、３９、３９、３９の光を受光した場合には、ＯＮ信号を出力し、受光しない場合には、ＯＦＦ信号を出力するものである。したがって、図５に示される状態では、第１光センサ４２Ａは、パチンコ球によって発光ＬＥＤ３９からの光が遮られるため、ＯＦＦ信号を出力する。また、第２乃至第４光センサ４２Ｂ、４２Ｃ、４２Ｄは、発光ＬＥＤ３９、３９、３９からの光を受光してＯＮ信号を出力する。
また、貫通孔５２の天井面には、満タンスイッチ４３が配設されている。この満タンスイッチ４３は、押下されていない場合には、ＯＦＦ信号を出力し、該貫通孔５２内にパチンコ球が貯留されて、該満タンスイッチ４３が押下された場合には、ＯＮ信号を出力するものである。
【００３０】
次に、前面カバー部材１０の開閉機構及び開閉操作について説明する。図３に示すように、前枠３の右側端縁部の縦方向略中央部には、断面略斜め菱形の鍵取付部５５が前面側に突き出して設けられている。そして、前面カバー部材１０の鍵取付部５５に対向する部分には、閉じられた場合に、該鍵取付部５５が嵌合される溝部５６が形成されている。
また、前枠３の右側端縁部の裏面には、前面カバー部材１０を施錠する公知の施錠装置５７が設けられている（特開平１０−３０９３６３号公報参照）。そして、鍵取付部５５の略中央部には、この施錠装置５７のシリンダ錠５８が裏側から挿入される貫通孔５５Ａが形成されている。また、鍵取付部５５の上下には、縦長四角形の一対の貫通孔６０、６０が穿設され、施錠装置５７に回動可能に設けられる各錠爪６１、６１が前枠３の裏側から挿通されている。この各錠爪６１、６１は、前面カバー部材１０の右側端縁部の裏側面に設けられる不図示の係合部材に係合し、シリンダ錠５８に所定のキーを挿入して所定方向（第１実施形態では、反時計方向）に回せば、各錠爪６１、６１が上方向に回動して前面カバー部材１０の開錠作動をするようになっている。一方、施錠装置５７の上下端部には、外枠２の内側に設けられる不図示の係合部材に係合する不図示の一対の前面枠錠爪が回動可能に設けられ、シリンダ錠５８に所定のキーを挿入して反対方向（第１実施形態では、時計方向）に回せば、各前面枠錠爪が上下方向に回動して前枠３の開錠作動をするようになっている。
【００３１】
また、シリンダ錠５８に所定のキーを挿入して所定方向（第１実施形態では、反時計方向）に回して前面カバー部材１０を開錠し、該前面カバー部材１０を前面側に開いた場合には、前枠３の前面部に取り付けられる下側球貯留部材３０、発射装置２５、ＬＣＤ表示器１７、各スピーカ２０、２０、及び遊技盤８の前面部が現れる。
ここで、ＬＣＤ表示器１７及び各スピーカ２０、２０は、正面視横長四角形の組付部材６３の前面部に取り付けられている。また、この組付部材６３の左端縁部は、前枠３の前面側に回動可能に軸支されている。そして、この組付部材６３の背面部が前枠３の前面に当接されると共に、該組付部材６３の右端縁部に形成される凹部６４に、前枠３の前面部に回動可能に立設されるＬ字形固定レバー６５の軸部が嵌合され、該Ｌ字形固定レバー６５を下方向に回動することによって、組付部材６３が前枠３の前面部に当接して固定される。
従って、Ｌ字形固定レバー６５を上方向に回動して、組付部材６３を前面側に開くことによって、ＬＣＤ表示器１７及び各スピーカ２０、２０の点検・調整、遊技盤８の取り付け・取り外し、及び発射レール６６の点検・調整などを前枠３の前面側から行うことができる。
【００３２】
次に、第１実施形態に係るパチンコ機１の下側球貯留部材３０の概略構成を図６乃至図９に基づいて説明する。図６は第１実施形態に係るパチンコ機１の下側球貯留部材３０の概略構成を示す図で、（Ａ）は平面図、（Ｂ）は正面図、（Ｃ）は底面図である。図７は第１実施形態に係るパチンコ機１の下側球貯留部材３０の概略構成を示す後側斜視図である。図８は第１実施形態に係るパチンコ機１の下側球貯留部材３０の概略構成を示す中央側断面図である。図９は第１実施形態に係るパチンコ機１の下側球貯留部材３０の排出口開閉状態を示す蓋部材を取り外した背面図で、（Ａ）は通常時の閉じた状態を示す図、（Ｂ）は球抜きダイヤルレバー３５を回して開いた状態を示す図である。
【００３３】
図６乃至図８に示すように、下側球貯留部材３０は、正面視略台形の箱体状で背面部が開放される背板部材８２と、この背板部材８２の背面部を塞ぐ蓋部材８３と、背板部材８２の前面部に取り付けられて遊技球が貯留される透明樹脂製の内箱８４と、背板部材８２の前面部に取り付けられて内箱８４の外側を下端部に所定隙間を形成しつつ覆う透明樹脂製の外箱８５と、この外箱８５の上端面の中央部に前後方向に配設される球抜き機構部３３と、内箱８４の下側後端縁部と外箱８５の下側後端縁部との隙間に左右方向にスライド可能に配設されるスライド板部材３８等とから構成されている。また、内箱８４の内側左側面部には、上下方向の直線上に４個の各発光ＬＥＤ３９、３９、３９、３９が略等間隔で配設され、内箱８４の内側右側面部の各発光ＬＥＤ３９、３９、３９、３９に対向する位置には、下側から第１乃至第４光センサ４２Ａ、４２Ｂ、４２Ｃ、４２Ｄが配設されている（図５参照）。
【００３４】
また、図８及び図９に示すように、内箱８４の下側後端縁部の略中央部には、水平略Ｕ字状の球抜き孔３７が形成されている。また、外箱８５のこの球抜き孔３７に対向する部分には、同形状の球抜き孔８６が形成されている。
また、この球抜き孔３７と球抜き孔８６との間には、スライド板部材３８が、背板部材８２の下端部に形成される左右方向に細長い貫通孔８８に挿入されて、各球抜き孔３７、８６を塞ぐように構成されている。このスライド板部材３８は、横長の平板状で略中央部に前側方向に延出されて各球抜き孔３７、８６を覆う略Ｕ字形の延出部８９が形成されている。また、スライド板部材３８の右上側後端縁部には、ボス部材９０が後側方向に突き出して設けられて、背板部材８２に形成される横長の貫通孔９１に前面側から挿入されている。また、背板部材８２の後側上方には、球抜き機構部３３の軸部材３３Ａの回転に従って左右方向に移動可能に配設される梁部材９２が配設されている。また、この梁部材９２の右側端縁部（図９（Ａ）中、左側端縁部）とスライド板部材３８のボス部材９０とは、接続部材９３によって左右方向に回動可能に接続されている。また、梁部材９２は、この接続部材９３の上端縁部に一端が取り付けられる引張りバネ９５によって右側方向（図９（Ａ）中、左側方向）に付勢されている。即ち、スライド板部材３８は、引張りバネ９５によって左側方向（図９（Ａ）中、右側方向）に付勢されている。
【００３５】
したがって、図９（Ａ）に示すように、引張りバネ９５の付勢力によってスライド板部材３８が左側方向に押しつけられている場合には、各球抜き孔３７、８６は、該スライド板部材３８の延出部８９によって塞がれている。一方、図９（Ｂ）に示すように、球抜きダイヤルレバー３５を付勢力に抗して所定角度回した場合には、球抜き機構部３３の軸部材３３Ａを介して梁部材９２が左側方向（図９（Ｂ）中、右側方向）にスライドされると共に、接続部材９３を介してスライド板部材３８が右側方向（図９（Ｂ）中、左側方向）にスライドして、該スライド板部材３８の延出部８９が、各球抜き孔３７、８６から離れるため、各球抜き孔３７、８６は連通して、内箱８４内のパチンコ球は、前面カバー部材１０の開口部３２Ａを介して下方に排出される。即ち、各球抜き孔３７、８６は、遊技球排出口部として機能する。また、球抜きダイヤルレバー３５、取付板３６、コイルバネ３６Ｂ、結合部材３３Ｃ、軸部材３３Ａ、梁部材９２、接続部材９３、引張りバネ９５、及びスライド板部材３８は、球抜き手段を構成する。また、結合部材３３Ｃ、軸部材３３Ａ、梁部材９２、接続部材９３、引張りバネ９５、及びスライド板部材３８は、開閉部材を構成する。また、球抜きダイヤルレバー３５、取付板３６、及びコイルバネ３６Ｂは、操作部材を構成する。
【００３６】
また、背板部材８２の前面部の略中央部には、略四角形の貫通孔９７が穿設されると共に、該貫通孔９７の周縁部には、後側方向に延出されるリブ部９８が形成されている。このリブ部９８の下側壁部は、斜め上方向に傾斜するように形成されている。また、この背板部材８２の背面部を覆う蓋部材８３の略中央部には、このリブ部９８が嵌入される略四角形の貫通孔９９が穿設されている。これにより、案内樋５０及び貫通孔５２を流れるパチンコ球は、この貫通孔９９、リブ部９８、及び貫通孔９７を介して内箱８４内に流入する。即ち、貫通孔９９、リブ部９８、及び貫通孔９７は、遊技球流入口部として機能する。
【００３７】
また、下側球貯留部材３０の上端面に形成される球入口部７８は、外箱８５の上端面の奥側右端縁部に切り欠かれる切欠部１０１と、内箱８４の該切欠部１０１に対向する位置に切り欠かれる切欠部１０２と、背板部材８２の前面部とによって構成される。これにより、上側球貯留部材２２から不図示の球抜き装置を流れたパチンコ球は、外箱８５の上端面から、各切欠部１０１、１０２、及び背板部材８２によって構成される球入口部７８を通過し、内箱８４内に流入して貯留される。即ち、外箱８５、内箱８４、背板部材８２、及びスライド板部材３８は、収容部材を構成する。
【００３８】
以上説明した通り第１実施形態に係るパチンコ機１では、木製の外枠２に対して樹脂製の前枠３が、前枠取付用ヒンジを構成する上ヒンジ４及び下ヒンジ５を介して外枠２に対して開閉自在に取り付けられている。また、前枠３の窓部７の下側の前面部には、下側球貯留部材３０が取り付けられている。また、この前枠３の前側を被覆する樹脂製の前面カバー部材１０は、左側端縁部を上ヒンジ４と、前枠３の前側に突出して形成される前面パネル部３Ａの左端上部に取り付けられる軸支持部材１１とによって支えられて開閉自在に取り付けられている。また、この前面カバー部材１０は、ほぼ中央部に略円形の窓部１２が開設されると共に、この窓部１２の下端縁部から斜め下前側方向に突出する壁部１５と、この壁部１５の下端縁部から前側方向に突き出して設けられて、払い出される賞球を受ける所定深さの上側球貯留部材２２と、この上側球貯留部材２２の前面上端縁部から下側球貯留部材３０の下側を覆うように正面視略半球状に延出される延出部材３２とから形成されている。また、上側球貯留部材２２の溢れたパチンコ球は、下側球貯留部材３０のリブ部９８及び各貫通孔９７、９９を経て内箱８４内に収容される。そして、球抜きダイヤルレバー３５を操作することによって、これに接続される軸部材３３Ａ等を介してスライド板部材３８で覆われる各球抜き孔３７、８６が開放され、該内箱８４内のパチンコ球が開口部３２Ａを介して下側に落下するように構成されている。
【００３９】
従って、上側球貯留部材２２の前面上端縁部から延出される延出部材３２によって上側球貯留部材２２の前面部から下側球貯留部材３０の前面部に渡って全面が覆われると共に、球抜き機構部３３を介してスライド板部材３８をスライドさせる球抜きダイヤルレバー３５が、延出部材３２の前面部に配置されるため、パチンコ機１の前面部を従来にない斬新なデザインにすることが可能となり、遊技者の興味を強く引きつけることができると共に、遊技者は球抜きダイヤルレバー３５を前面側から容易に操作できるため、遊技の興趣を増大させることができる。
また、下側球貯留部材３０には、上側球貯留部材２２から溢れたパチンコ球が流入する各貫通孔９７、９９と、貯留されるパチンコ球が外側に流出する各球抜き孔３７、８６とが別々に設けられるため、この下側球貯留部材３０内に流入するパチンコ球と、下側球貯留部材３０の外部に排出するパチンコ球とが相互に干渉しないようにすることができて、該下側球貯留部材３０内のパチンコ球を迅速に排出することができる。
更に、前面カバー部材１０を前面側に開いた場合には、このダイヤルレバー３５は、下側球貯留部材３０の球抜き機構部３３から離間して延出部材３２と一体となって移動するため、遊技者が頻繁に操作する球抜きダイヤルレバー３５の点検修理や交換を容易に行うことができる。
【００４０】
次に、第２実施形態に係るパチンコ機について図１０及び図１１に基づいて説明する。尚、図１０及び図１１において上記第１実施形態に係るパチンコ機１と同一符号は、上記パチンコ機１と同一あるいは相当部分を示すものである。この第２実施形態に係るパチンコ機の概略全体構成は、第１実施形態に係るパチンコ機１とほぼ同じ構成である。但し、第２実施形態に係るパチンコ機は、球抜きダイヤルレバーが下側球貯留部材３０の球抜き機構部３３に設けられている点において、第１実施形態に係るパチンコ機１と異なっている。
【００４１】
ここで、第２実施形態に係るパチンコ機の概略全体構成について図１０及び図１１に基づいて説明する。図１０は第２実施形態に係るパチンコ機の前面カバー部材を開いた状態を示す正面図である。図１１は第２実施形態に係るパチンコ機の下側球貯留部材の要部を示す要部拡大中央側断面図である。尚、図１０では遊技領域上のゲート等の構造物を省略して示す。
図１０及び図１１に示すように、第２実施形態に係るパチンコ機１０５は、延出部材３２の前面部の略中央部、即ち、下側球貯留部材３０の球抜き機構部１０６に対向する位置には、後述のダイヤルレバー部１０９が裏側から挿通される断面略円形の開口部１０７が穿設されている。
また、球抜き機構部１０６の構成は、上記球抜き機構部３３の構成とほぼ同じ構成であるが、上記軸部材３３Ａに替えて、前面側端縁部にダイヤルレバー部１０９が形成される軸部材１１０が、下側球貯留部材３０の外箱８５の上端面に前後方向に載架されて軸回りに回転可能に支持されている。尚、この軸部材１１０の後側端縁部の構成は、上記軸部材３３Ａとほぼ同じ構成である。また、ダイヤルレバー部１０９の前側端縁部には、略中央部につまみ部１０９Ａが形成されて、通常時には、上下方向に平行になるように形成されている。
【００４２】
これにより、ダイヤルレバー部１０９のつまみ部１０９Ａを時計方向に操作することにより、下側球貯留部材３０を構成する内箱８４の下端部に形成される球抜き孔３７を覆うスライド板部材３８が左右方向に移動して、この球抜き孔３７から球抜き孔８６及び開口部３２Ａを介して下方にパチンコ球が落下することとなる。尚、ダイヤルレバー部１０９は、軸部材３３Ａと一体的に引張りバネ９５（図８参照）等により反対回転方向に付勢されている。
また、前面カバー部材１０を閉じた場合には、ダイヤルレバー部１０９Ａが、延出部材３２の開口部１０７に裏側から挿通されるため、遊技者は、パチンコ機１０５の前面側からこのダイヤルレバー部１０９を操作できる。
【００４３】
ここで、各球抜き孔３７、８６は、遊技球排出口部として機能する。また、軸部材１１０、梁部材９２、接続部材９３、引張りバネ９５、及びスライド板部材３８は、球抜き手段を構成する。また、軸部材１１０、梁部材９２、接続部材９３、引張りバネ９５、及びスライド板部材３８は、開閉部材を構成する。また、ダイヤルレバー部１０９は、操作部材として機能する。また、貫通孔９９、リブ部９８、及び貫通孔９７は、遊技球流入口部として機能する。また、外箱８５、内箱８４、背板部材８２、及びスライド板部材３８は、収容部材を構成する。
【００４４】
従って、上側球貯留部材２２の前面上端縁部から延出される延出部材３２によって上側球貯留部材２２の前面部から下側球貯留部材３０の前面部に渡って全面が覆われると共に、球抜き機構部１０６を介してスライド板部材３８をスライドさせるダイヤルレバー部１０９が、延出部材３２の前面部に配置されるため、パチンコ機１０５の前面部を従来にない斬新なデザインにすることが可能となり、遊技者の興味を強く引きつけることができると共に、遊技者はダイヤルレバー部１０９を前面側から容易に操作できるため、遊技の興趣を増大させることができる。
また、下側球貯留部材３０には、上側球貯留部材２２から溢れたパチンコ球が流入する各貫通孔９７、９９と、貯留されるパチンコ球が外側に流出する各球抜き孔３７、８６とが別々に設けられるため、この下側球貯留部材３０内に流入するパチンコ球と、下側球貯留部材３０の外部に排出するパチンコ球とが相互に干渉しないようにすることができて、該下側球貯留部材３０内のパチンコ球を迅速に排出することができる。
更に、前面カバー部材１０を前面側に開いた場合でも、このダイヤルレバー部１０９は、下側球貯留部材３０の外箱８５上に載架される軸部材１１０の前端部に形成されているため、このダイヤルレバー部１０９を操作することによって下側球貯留部材３０内のパチンコ球を適宜外側に排出することが可能となり、該下側球貯留部材３０の保守点検を容易に行うことができる。
【００４５】
尚、本発明は、前記第１及び第２実施形態に限定されるものではなく、本発明の要旨を逸脱しない範囲内で種々の改良、変形が可能であることは勿論である。
【００４６】
【発明の効果】
以上説明した通り請求項１の遊技機では、略中央部に遊技盤が取り付けられる開口部が開設される前枠部材は、外枠に遊技者側の前面側にて開閉可能となるように取り付けられている。また、前面カバー部材が前枠部材の一側に開閉自在に軸着されている。また、払い出される賞球を受ける上側球貯留部材が、前面カバー部材の遊技者側の前面に突出して設けられている。また、この上側球貯留部材の下側には、前枠部材の前面部に取り付けられて、この上側球貯留部材から溢れた遊技球を受けて貯留する下側球貯留部材が配置されている。そして、この下側球貯留部材は、上側球貯留部材の前面上端縁部から該下側球貯留部材の下側まで延出される延出部材によって覆われて、延出部材の後側に配設されている。また、前面カバー部材を閉じて球抜きダイヤルレバーを所定方向に回動することによって、この球抜きダイヤルレバーの後端部に固設された取付板と、下側球貯留部材を構成する収容部材の上端面部の前後方向に配設された球抜き機構部と、当該収容部材の背面部に配設された連結部材を介して、収容部材の背面側から開閉部材を作動させて遊技球排出口部を開いた場合には、収容部材内の遊技球が遊技球排出口部及び延出部材の開口部を介して外部に排出される。
これにより、上側球貯留部材の前面上端縁部から延出される延出部材によって上側球貯留部材の前面部から下側球貯留部材の前面部に渡って全面が覆われると共に、この延出部材の前面部から球抜きダイヤルレバーを所定方向に回動することによって、下側球貯留部材を構成する収容部材内に貯留されている遊技球の球抜き操作ができるため、遊技機の前面部を従来にない斬新なデザインにすることが可能となり、遊技者の興味を強く引きつけることができると共に、該下側球貯留部材内の遊技球を延出部材の前面側から容易に排出することができて遊技者の興趣を増大させることができる遊技機を提供することができる。
また、前面カバー部材を開いた場合には、延出部材に取り付けられた球抜きダイヤルレバーと取付板は、球抜き機構部から離間して延出部材と一体となって移動するため、遊技者が頻繁に操作する球抜きダイヤルレバーの点検修理や交換を容易に行うことができる遊技機を提供することができる。
【００４７】
【００４８】
【００４９】
【図面の簡単な説明】
【図１】  第１実施形態に係るパチンコ機全体を示した正面図である。
【図２】  第１実施形態に係るパチンコ機全体を示した中央側断面図である。
【図３】  第１実施形態に係るパチンコ機の前面カバー部材を開いた状態を示す正面図である。
【図４】  第１実施形態に係るパチンコ機の下側球貯留部材の要部を示す要部拡大中央側断面図である。
【図５】  第１実施形態に係るパチンコ機の下側球貯留部材内に配設される各光ＬＥＤと各光センサとの間の受光状態を模式的に示す横断面図である。
【図６】  第１実施形態に係るパチンコ機の下側球貯留部材の概略構成を示す図で、（Ａ）は平面図、（Ｂ）は正面図、（Ｃ）は底面図である。
【図７】  第１実施形態に係るパチンコ機の下側球貯留部材の概略構成を示す後側斜視図である。
【図８】  第１実施形態に係るパチンコ機の下側球貯留部材の概略構成を示す中央側断面図である。
【図９】  第１実施形態に係るパチンコ機の下側球貯留部材の排出口開閉状態を示す蓋部材を取り外した背面図で、（Ａ）は通常時の閉じた状態を示す図、（Ｂ）は球抜きダイヤルレバーを回して開いた状態を示す図である。
【図１０】  第２実施形態に係るパチンコ機の前面カバー部材を開いた状態を示す正面図である。
【図１１】  第２実施形態に係るパチンコ機の下側球貯留部材の要部を示す要部拡大中央側断面図である。
【符号の説明】
１、１０５              パチンコ機
２                      外枠
３                      前枠
１０                    前面カバー部材
２２                    上側球貯留部材
２３                    賞球払い出し口
３０                    下側球貯留部材
３２                    延出部材
３２Ａ、１０７          開口部
３３、１０６            球抜き機構部
３３Ａ、１１０          軸部材
３３Ｃ                  結合部材
３４                    凹部
３５                    球抜きダイヤルレバー
３５Ａ、１０９Ａ        つまみ部
３６                    取付板
３７、８６              球抜き孔
３８                    スライド板部材
８２                    背板部材
８３                    蓋部材
８４                    内箱
８５                    外箱
９７、９９              貫通孔
９８                    リブ部
１０９                  ダイヤルレバー部
【図１】
0004131430.tif 000002
【図２】
0004131430.tif 000003
【図３】
0004131430.tif 000004
【図４】
0004131430.tif 000005
【図５】
0004131430.tif 000006
【図６】
0004131430.tif 000007
【図７】
0004131430.tif 000008
【図８】
0004131430.tif 000009
【図９】
0004131430.tif 000010
【図１０】
0004131430.tif 000011
【図１１】
0004131430.tif 000012